【手続補正書】
【提出日】平成17年8月23日(2005.8.23)
【手続補正１】
【補正対象書類名】明細書
【補正対象項目名】発明の名称
【補正方法】変更
【補正の内容】
【発明の名称】電子回路、電子回路の駆動方法、電気光学装置及び電子機器
【手続補正２】
【補正対象書類名】明細書
【補正対象項目名】特許請求の範囲
【補正方法】変更
【補正の内容】
【特許請求の範囲】
【請求項１】
第１の端子と第２の端子と第１の制御用端子とを備えた第１のトランジスタと、
第３の端子と第４の端子とを備えた第２のトランジスタと、
第１の電極と第２の電極とを備え、前記第１の制御用端子に前記第１の電極が接続された容量素子と、を含む単位回路を複数備えた電子回路の駆動方法であって、
前記第３の端子を前記第４の端子を介して所定電位に電気的に接続した状態で、前記第１の制御用端子を第１の電位に設定する第１のステップと、
前記第３の端子を前記所定電位から電気的に切り離した状態とし、前記第２の電極を電位を第２の電位から第３の電位に変化させることにより前記第１の制御用端子を前記第１の電位から変化させる第２のステップと、を含むこと、
を特徴とする電子回路の駆動方法。
【請求項２】
第１の端子と第２の端子と第１の制御用端子とを備えた第１のトランジスタと、
第１の電極と第２の電極とを備え、前記第１の制御用端子に前記第１の電極が接続された容量素子と、
第３の端子と第４の端子とを備え、前記容量素子と所定電位との間に配置された第２のトランジスタと、
を含む単位回路を複数含む電子回路の駆動方法であって、
前記第３の端子を前記第４の端子を介して前記所定電位に電気的に接続した状態で、前記第１の制御用端子を第１の電位に設定する第１のステップと、
前記第３の端子を前記所定電位から電気的に切り離した状態として、前記第１の制御用端子を前記第１の電位から変化させる第２のステップと、を含むこと、
を特徴とする電子回路の駆動方法。
【請求項３】
第１の端子と第２の端子と第１の制御用端子とを備えた第１のトランジスタと、
第１の電極と第２の電極とを備え、前記第１の電極が前記第１の制御用端子に接続された容量素子と、
前記容量素子と所定電位との間に配置され、第３の端子と第４の端子とを備えた第２のトランジスタと、を含む単位回路を複数個備えた電子回路の駆動方法であって、
前記第３の端子を前記第４の端子を介して前記所定電位に電気的に接続した状態で、前記第１の制御用端子を第１の電位に設定する第１のステップと、
前記第３の端子を前記所定電位から電気的に切り離した状態で、前記第２の電極の電位を第２の電位から第３の電位に変化させることにより前記第１の制御用端子を前記第１の電位から変化させる第２のステップと、を含むこと、
を特徴とする電子回路の駆動方法。
【請求項４】
請求項３に記載の電子回路の駆動方法において、
前記第１のステップにより、前記第２の電極の電位を前記第２の電位に設定すること、
を特徴とする電子回路の駆動方法。
【請求項５】
請求項３または４に記載の電子回路の駆動方法において、
前記単位回路は、さらに第３のトランジスタを含み、前記第３のトランジスタは、第５の端子と第６の端子とを備え、前記第５の端子は前記第２の電極に接続されており、
前記第１のステップを行っている期間の少なくとも一部において、前記第３のトランジスタをオフ状態とし、
前記第２のステップを行っている期間の少なくとも一部において、前記第３のトランジスタをオフ状態とすること、
を特徴とする電子回路の駆動方法。
【請求項６】
請求項１乃至５のいずれかに記載の電子回路の駆動方法において、
前記第１の電位は、前記第１のトランジスタの閾値電圧に対応していること、
を特徴とする電子回路の駆動方法。
【請求項７】
複数の単位回路を備えた電子回路であって、
前記複数の単位回路の各々は、
第１の端子と第２の端子と第１の制御用端子とを備えた第１のトランジスタと、
第１の電極と第２の電極とを備え、前記第１の電極が前記第１の制御用端子に接続された容量素子と、
前記容量素子と所定電位との間に配置され、第３の端子と第４の端子とを備えた第２のトランジスタと、を含み、
第１の期間に、前記第３の端子が前記第４の端子を介して前記所定電位に電気的に接続された状態で、前記第１の制御用端子が第１の電位に設定され、
第２の期間に、前記第３の端子を前記所定電位から電気的に切り離した状態で、前記第２の電極の電位が第２の電位から第３の電位に変化することにより前記第１の制御用端子が前記第１の電位から変化すること、
を特徴とする電子回路。
【請求項８】
請求項７に記載の電子回路において、
前記複数の単位回路の各々は、さらに第３のトランジスタを含み、
前記第３のトランジスタは、第５の端子と第６の端子とを備え、
前記第５の端子が前記第２の電極に接続されており、
前記第１の期間の少なくとも一部において、前記第３のトランジスタはオフ状態とされ、
前記第２の期間の少なくとも一部において、前記第３のトランジスタはオン状態とされること、
を特徴とする電子回路。
【請求項９】
複数の走査線と、
複数のデータ線と、
複数の画素回路と、を備え、
前記複数の画素回路の各々は、
第１の端子と第２の端子と第１の制御用端子とを備えた第１のトランジスタと、
第３の端子と第４の端子とを備えた第２のトランジスタと、
第５の端子と第６の端子とを備えた第３のトランジスタと、
前記第１の制御用端子に接続された容量素子と、
電気光学素子と、を含み、
前記第３のトランジスタは前記容量素子と前記複数のデータ線のうちの一つのデータ線との間に配置され、
前記第２のトランジスタは所定電位と前記容量素子との間に配置され、
第１の期間に、前記第２のトランジスタを介して前記容量素子は前記所定電位に電気的に接続されるとともに、前記第１の制御用端子の電位は第１の電位に設定され、
第２の期間に、前記第３のトランジスタを介して前記一つのデータ線からデータ信号が前記容量素子に供給されることにより、前記第１の制御用端子の電位は前記第１の電位から前記データ信号に対応した電位に変化すること、
を特徴とする電気光学装置。
【請求項１０】
複数の走査線と、
複数のデータ線と、
複数の画素回路と、
複数の第１の電源線と、
複数の第２の電源線と、を備え、
前記複数の画素回路の各々は、
第１の端子と第２の端子と第１の制御用端子とを備えた第１のトランジスタと、
第３の端子と第４の端子とを備えた第２のトランジスタと、
第５の端子と第６の端子とを備えた第３のトランジスタと、
前記第１の制御用端子に接続された容量素子と、
電気光学素子と、を含み、
前記第３のトランジスタは前記容量素子と前記複数のデータ線のうちの一つのデータ線との間に配置され、
前記第２のトランジスタは前記複数の第１の電源線のうちの一つの第１の電源線と前記容量素子との間に配置され、
前記第１のトランジスタは前記複数の第２の電源線のうちの一つの第２の電源線と前記電気光学素子との間に配置され、
第１の期間に、前記第２のトランジスタを介して前記容量素子は前記一つの第１の電源線に電気的に接続されるとともに、前記第１の制御用端子の電位は第１の電位に設定され、
第２の期間に、前記第３のトランジスタを介して前記一つのデータ線からデータ信号が前記容量素子に供給されることにより、前記第１の制御用端子の電位は前記第１の電位から前記データ信号に対応した電位に変化すること、
を特徴とする電気光学装置。
【請求項１１】
複数の走査線と、
複数のデータ線と、
複数の画素回路と、を備え、
前記複数の画素回路の各々は、
第１の端子と第２の端子と第１の制御用端子とを備えた第１のトランジスタと、
第３の端子と第４の端子とを備えた第２のトランジスタと、
第５の端子と第６の端子とを備えた第３のトランジスタと、
前記第１の制御用端子に接続された容量素子と、
電気光学素子と、を含み、
前記第３のトランジスタは前記容量素子と前記複数のデータ線のうちの一つのデータ線との間に配置され、
前記第２のトランジスタは所定電位と前記容量素子との間に配置され、
前記第１の制御用端子は、前記容量素子の第１の電極に接続され、
前記第５の端子は、前記容量素子の第２の電極に接続され、
前記第６の端子は、前記複数のデータ線のうちの一つのデータ線に接続され、
第１の期間に、前記第２のトランジスタを介して前記容量素子は前記所定電位に電気的に接続されるとともに、前記第１の制御用端子及び前記第２の電極の電位は、それぞれ第１の電位及び第２の電位に設定され、
第２の期間に、前記第３のトランジスタを介して前記一つのデータ線からデータ信号が前記容量素子に供給されることにより、前記第２の電極の電位は、前記第２の電位から第３の電位に変化することにより前記第１の制御用端子の電位は前記第１の電位から第４の電位に変化すること、
を特徴とする電気光学装置。
【請求項１２】
複数の走査線と、
複数のデータ線と、
複数の画素回路と、
複数の第１の電源線と、
複数の第２の電源線と、を備え、
前記複数の画素回路の各々は、
第１の端子と第２の端子と第１の制御用端子とを備えた第１のトランジスタと、
第３の端子と第４の端子とを備えた第２のトランジスタと、
第５の端子と第６の端子とを備えた第３のトランジスタと、
前記第１の制御用端子に接続された容量素子と、
電気光学素子と、を含み、
前記第３のトランジスタは前記容量素子と前記複数のデータ線のうちの一つのデータ線との間に配置され、
前記第２のトランジスタは前記複数の第１の電源線のうち一つの第１の電源線と前記容量素子との間に配置され、
前記第１の制御用端子は、前記容量素子の第１の電極に接続され、
前記第５の端子は、前記容量素子の第２の電極に接続され、
前記第６の端子は、前記複数のデータ線のうちの一つのデータ線に接続され、
第１の期間に、前記第２のトランジスタを介して前記容量素子は前記一つの第１の電源線に電気的に接続されるとともに、前記第１の制御用端子及び前記第２の電極の電位は、それぞれ、第１の電位及び第２の電位に設定され、
第２の期間に、前記第３のトランジスタを介して前記一つのデータ線からデータ信号が前記容量素子に供給されることにより、前記第２の電極の電位は、前記第２の電位から第３の電位に変化することにより前記第１の制御用端子の電位は前記第１の電位から第４の電位に変化すること、
を特徴とする電気光学装置。
【請求項１３】
請求項１１に記載の電気光学装置において、
前記第１の期間に、前記第３の端子は前記第４の端子を介して前記所定電位に電気的に接続されること、
を特徴とする電気光学装置。
【請求項１４】
請求項１１乃至１３のいずれかに記載の電気光学装置において、
前記第４の電位に応じた電流レベルを有する駆動電流が前記電気光学素子に供給されること、
を特徴とする電気光学装置。
【請求項１５】
請求項９乃至１４のいずれかに記載の電気光学装置において、
前記第１の電位は、前記第１のトランジスタの閾値電圧に対応していること、
を特徴とする電気光学装置。
【請求項１６】
請求項７又は８に記載の電子回路または請求項９乃至１５のいずれかに記載の電気光学装置を実装したこと、
を特徴とする電子機器。
【手続補正３】
【補正対象書類名】明細書
【補正対象項目名】０００５
【補正方法】変更
【補正の内容】
【０００５】
【課題を解決するための手段】
本発明に係る電子回路の駆動方法は、第１の端子と第２の端子と第１の制御用端子とを備えた第１のトランジスタと、第３の端子と第４の端子とを備えた第２のトランジスタと、第１の電極と第２の電極とを備え、前記第１の制御用端子に前記第１の電極が接続された容量素子と、を含む単位回路を複数備えた電子回路の駆動方法であって、前記第３の端子を前記第４の端子を介して所定電位に電気的に接続した状態で、前記第１の制御用端子を第１の電位に設定する第１のステップと、前記第３の端子を前記所定電位から電気的に切り離した状態とし、前記第２の電極を電位を第２の電位から第３の電位に変化させることにより前記第１の制御用端子を前記第１の電位から変化させる第２のステップと、を含むことを特徴とする。
また、本発明に係る電子回路の駆動方法は、第１の端子と第２の端子と第１の制御用端子とを備えた第１のトランジスタと、第１の電極と第２の電極とを備え、前記第１の制御用端子に前記第１の電極が接続された容量素子と、第３の端子と第４の端子とを備え、前記容量素子と所定電位との間に配置された第２のトランジスタと、を含む単位回路を複数含む電子回路の駆動方法であって、前記第３の端子を前記第４の端子を介して前記所定電位に電気的に接続した状態で、前記第１の制御用端子を第１の電位に設定する第１のステップと、前記第３の端子を前記所定電位から電気的に切り離した状態として、前記第１の制御用端子を前記第１の電位から変化させる第２のステップと、を含むことを特徴とする。
また、本発明に係る電子回路の駆動方法は、第１の端子と第２の端子と第１の制御用端子とを備えた第１のトランジスタと、第１の電極と第２の電極とを備え、前記第１の電極が前記第１の制御用端子に接続された容量素子と、前記容量素子と所定電位との間に配置され、第３の端子と第４の端子とを備えた第２のトランジスタと、を含む単位回路を複数個備えた電子回路の駆動方法であって、前記第３の端子を前記第４の端子を介して前記所定電位に電気的に接続した状態で、前記第１の制御用端子を第１の電位に設定する第１のステップと、前記第３の端子を前記所定電位から電気的に切り離した状態で、前記第２の電極の電位を第２の電位から第３の電位に変化させることにより前記第１の制御用端子を前記第１の電位から変化させる第２のステップと、を含むことを特徴とする。
上記の電子回路の駆動方法において、前記第１のステップにより、前記第２の電極の電位を前記第２の電位に設定することが好ましい。
上記の電子回路の駆動方法において、前記単位回路は、さらに第３のトランジスタを含み、前記第３のトランジスタは、第５の端子と第６の端子とを備え、前記第５の端子は前記第２の電極に接続されており、前記第１のステップを行っている期間の少なくとも一部において、前記第３のトランジスタをオフ状態とし、前記第２のステップを行っている期間の少なくとも一部において、前記第３のトランジスタをオフ状態とするようにしてもよい。
上記の電子回路の駆動方法において、前記第１の電位は、前記第１のトランジスタの閾値電圧に対応していることが好ましい。
本発明に係る電子回路は、複数の単位回路を備えた電子回路であって、前記複数の単位回路の各々は、第１の端子と第２の端子と第１の制御用端子とを備えた第１のトランジスタと、第１の電極と第２の電極とを備え、前記第１の電極が前記第１の制御用端子に接続された容量素子と、記容量素子と所定電位との間に配置され、第３の端子と第４の端子とを備えた第２のトランジスタと、を含み、第１の期間に、前記第３の端子が前記第４の端子を介して前記所定電位に電気的に接続された状態で、前記第１の制御用端子が第１の電位に設定され、第２の期間に、前記第３の端子を前記所定電位から電気的に切り離した状態で、前記第２の電極の電位が第２の電位から第３の電位に変化することにより前記第１の制御用端子が前記第１の電位から変化することを特徴とする。
上記の電子回路において、前記複数の単位回路の各々は、さらに第３のトランジスタを含み、前記第３のトランジスタは、第５の端子と第６の端子とを備え、前記第５の端子が前記第２の電極に接続されており、前記第１の期間の少なくとも一部において、前記第３のトランジスタはオフ状態とされ、前記第２の期間の少なくとも一部において、前記第３のトランジスタはオン状態とされることを特徴とする。
本発明に係る電気光学装置は、複数の走査線と、複数のデータ線と、複数の画素回路と、を備え、前記複数の画素回路の各々は、第１の端子と第２の端子と第１の制御用端子とを備えた第１のトランジスタと、第３の端子と第４の端子とを備えた第２のトランジスタと、第５の端子と第６の端子とを備えた第３のトランジスタと、
前記第１の制御用端子に接続された容量素子と、電気光学素子と、を含み、前記第３のトランジスタは前記容量素子と前記複数のデータ線のうちの一つのデータ線との間に配置され、前記第２のトランジスタは所定電位と前記容量素子との間に配置され、第１の期間に、前記第２のトランジスタを介して前記容量素子は前記所定電位に電気的に接続されるとともに、前記第１の制御用端子の電位は第１の電位に設定され、第２の期間に、前記第３のトランジスタを介して前記一つのデータ線からデータ信号が前記容量素子に供給されることにより、前記第１の制御用端子の電位は前記第１の電位から前記データ信号に対応した電位に変化することを特徴とする。
また、本発明に係る電気光学装置は、複数の走査線と、複数のデータ線と、複数の画素回路と、複数の第１の電源線と、複数の第２の電源線と、を備え、前記複数の画素回路の各々は、第１の端子と第２の端子と第１の制御用端子とを備えた第１のトランジスタと、第３の端子と第４の端子とを備えた第２のトランジスタと、第５の端子と第６の端子とを備えた第３のトランジスタと、前記第１の制御用端子に接続された容量素子と、電気光学素子と、を含み、前記第３のトランジスタは前記容量素子と前記複数のデータ線のうちの一つのデータ線との間に配置され、前記第２のトランジスタは前記複数の第１の電源線のうちの一つの第１の電源線と前記容量素子との間に配置され、前記第１のトランジスタは前記複数の第２の電源線のうちの一つの第２の電源線と前記電気光学素子との間に配置され、第１の期間に、前記第２のトランジスタを介して前記容量素子は前記一つの第１の電源線に電気的に接続されるとともに、前記第１の制御用端子の電位は第１の電位に設定され、第２の期間に、前記第３のトランジスタを介して前記一つのデータ線からデータ信号が前記容量素子に供給されることにより、前記第１の制御用端子の電位は前記第１の電位から前記データ信号に対応した電位に変化することを特徴とする。
また、本発明に係る電気光学装置は、複数の走査線と、複数のデータ線と、複数の画素回路と、を備え、前記複数の画素回路の各々は、第１の端子と第２の端子と第１の制御用端子とを備えた第１のトランジスタと、第３の端子と第４の端子とを備えた第２のトランジスタと、第５の端子と第６の端子とを備えた第３のトランジスタと、前記第１の制御用端子に接続された容量素子と、電気光学素子と、を含み、前記第３のトランジスタは前記容量素子と前記複数のデータ線のうちの一つのデータ線との間に配置され、前記第２のトランジスタは所定電位と前記容量素子との間に配置され、前記第１の制御用端子は、前記容量素子の第１の電極に接続され、前記第５の端子は、前記容量素子の第２の電極に接続され、前記第６の端子は、前記複数のデータ線のうちの一つのデータ線に接続され、第１の期間に、前記第２のトランジスタを介して前記容量素子は前記所定電位に電気的に接続されるとともに、前記第１の制御用端子及び前記第２の電極の電位は、それぞれ第１の電位及び第２の電位に設定され、第２の期間に、前記第３のトランジスタを介して前記一つのデータ線からデータ信号が前記容量素子に供給されることにより、前記第２の電極の電位は、前記第２の電位から第３の電位に変化することにより前記第１の制御用端子の電位は前記第１の電位から第４の電位に変化することを特徴とする。
また、本発明に係る電気光学装置は、複数の走査線と、複数のデータ線と、複数の画素回路と、複数の第１の電源線と、複数の第２の電源線と、を備え、前記複数の画素回路の各々は、第１の端子と第２の端子と第１の制御用端子とを備えた第１のトランジスタと、第３の端子と第４の端子とを備えた第２のトランジスタと、第５の端子と第６の端子とを備えた第３のトランジスタと、前記第１の制御用端子に接続された容量素子と、電気光学素子と、を含み、前記第３のトランジスタは前記容量素子と前記複数のデータ線のうちの一つのデータ線との間に配置され、前記第２のトランジスタは前記複数の第１の電源線のうち一つの第１の電源線と前記容量素子との間に配置され、前記第１の制御用端子は、前記容量素子の第１の電極に接続され、前記第５の端子は、前記容量素子の第２の電極に接続され、前記第６の端子は、前記複数のデータ線のうちの一つのデータ線に接続され、第１の期間に、前記第２のトランジスタを介して前記容量素子は前記一つの第１の電源線に電気的に接続されるとともに、前記第１の制御用端子及び前記第２の電極の電位は、それぞれ、第１の電位及び第２の電位に設定され、第２の期間に、前記第３のトランジスタを介して前記一つのデータ線からデータ信号が前記容量素子に供給されることにより、前記第２の電極の電位は、前記第２の電位から第３の電位に変化することにより前記第１の制御用端子の電位は前記第１の電位から第４の電位に変化することを特徴とする。
上記の電気光学装置において、前記第１の期間に、前記第３の端子は前記第４の端子を介して前記所定電位に電気的に接続されることが好ましい。
上記の電気光学装置において、前記第４の電位に応じた電流レベルを有する駆動電流が前記電気光学素子に供給されることが好ましい。
上記の電気光学装置において、前記第１の電位は、前記第１のトランジスタの閾値電圧に対応していることが好ましい。
上記の電子回路または上記の電気光学装置は電子機器に実装することが可能である。
本発明の第１の電子回路は、第１の端子と第２の端子と第１の制御用端子とを備えた第１のトランジスタと、第３の端子と第４の端子と第２の制御用端子とを備え、前記第３の端子が前記第１の制御用端子に接続された第２のトランジスタと、第１の電極と第２の電極とを備え、前記第１の電極が前記第１の制御用端子に接続された容量素子と、第５の端子と第６の端子とを備え、前記第５の端子が前記第２の電極に接続された第３のトランジスタとを含む単位回路を複数有し、前記第４の端子は前記複数の単位回路の他の単位回路の前記第４の端子と共に第１の電源線に接続され、前記第１の電源線の電位を複数の電位に設定する、あるいは前記第１の電源線と駆動電圧との電気的切断及び電気的接続を制御する制御回路を備えていることを特徴とする。